(57)【要約】【課題】被結束物の数量保証を効率よく行う帯掛機を提供する。【解決手段】帯掛作業を行う帯掛機１は、重量式計数装置１１と重量伝達部材１３を含む。重量伝達部材１３は、帯掛機１のテーブル９に戴置された被結束物２１の重量を帯掛機１の第１の連結部材７の上の重量式計数装置１１に伝える。重量式計数装置１１は計測した重量と被結束物２１の単位重量から被結束物２１の数量を求めて表示する。重量伝達部材１３はテーブル９の左右両側から上方に延びる第２のアーム２９、３０と、第２のアーム２９、３０の上端部を連結し重量式計数装置１１の秤量台２５に戴置されて接する第２の連結部材３１により構成される。テーブル９と重量伝達部材１１の第２のアーム２９、３０は、テープ１６による結束作業を妨げないよう２つの構成部材より構成される。よって、帯掛機１によって、被結束物２１の帯掛と計数を同時に行うことができる。【選択図】図１
2010126186.tif 000002
【特許請求の範囲】
【請求項１】
本体部に収納したテープロールからテープを引き出し、前記本体部の上に設置されたループ状のテープガイドに沿って、前記本体部の上面より上に設けられたテーブルに戴置された被結束物の周りにテープのループを作成し、ループを引き締めて被結束物に帯掛し、帯掛したテープの始端と終端の溶着を行う帯掛機であって、
被結束物の単位重量と被結束物の重量を用いて被結束物の計数を行う重量式計数装置と、
前記テーブル上に戴置された被結束物の重量を前記重量式計数装置に伝える重量伝達部材と、
を含むことを特徴とする帯掛機。
【請求項２】
前記帯掛機は、
前記本体部の上面の左右両側から上方にそれぞれ延びる２つの第１のアームと、
前記第１のアームの上端部同士を連結する第１の連結部材と、
を含み、
前記重量式計数装置は、前記第１の連結部材の上に設置され、
前記重量伝達部材は、
前記テーブルの左右両側から上方にそれぞれ延びる２つの第２のアームと、
前記第２のアームの上端部同士を連結する第２の連結部材を含み、
前記第２の連結部材は、前記重量式計数装置の秤量皿に戴置されて接することを特徴とする、請求項１に記載の帯掛機。
【請求項３】
前記テープガイドは、前記本体部の上面と、２つの前記第１のアームの内側面と、前記連結部材の下面に連続して形成され、
前記テーブルは、前記テープガイドに沿って作成されたテープのループを前後に挟むように配置される２つのテーブル構成部材により構成され、
前記第２のアームのそれぞれは、前記２つのテーブル構成部材の対応する端部からそれぞれ上方に延びて前記テープのループを前後に挟むように配置される２つのアーム構成部材により構成されることを特徴とする、請求項２に記載の帯掛機。
【請求項４】
前記第２の連結部材は、前記第２のアームの上端部の後部において、前記第２のアームの上端部同士を連結することを特徴とする、請求項２または請求項３に記載の帯掛機。
【請求項５】
前記重量式計数装置を戴置するために前記第１の連結部材の上に設けられる台部と、前記台部の後部の左右両側から下方に向かって伸び、前記本体部の上面に接する２本の脚部とを備えることを特徴とする、請求項１から請求項４のいずれかに記載の帯掛機。
【請求項６】
前記重量式計数装置は、前記重量式計数装置と通信可能に接続するプリンタを備え、前記重量式計数装置による被結束物の計数結果を前記プリンタにより出力可能であることを特徴とする、請求項１から請求項５のいずれかに記載の帯掛機。
【発明の詳細な説明】
【技術分野】
【０００１】
本発明は、帳票や冊子、証券、カード等の製品を結束する帯掛機に関する。
【背景技術】
【０００２】
帳票や冊子、証券、カード等の製品を帯掛する際には、これを結束すると共に、何枚を一まとめに結束したかといった結束数量を保証する必要がある。
従来、結束数量の保証は、以下のようにおこなわれていた。
【０００３】
すなわち、まず結束する製品の束を帯掛機に一まとめとしてセットし、帯掛機で帯掛を行う。その後、計数機に掛けて計数し、これを記録する。帯掛と計数の順序は逆でも構わない。
このような作業を行う際の帯掛機の例としては、ループ状のテープガイドに沿ってテープを送り出し、被結束物と受板の周りにテープのループを形成し、ループを引き締めて結束し、結束したテープの始端と終端を溶着して帯掛を行ったあと、受板を後退させて被結束物を取り出すものが特許文献１に示されている。
【０００４】
【特許文献１】特開２００４−１８０５９号公報
【発明の開示】
【発明が解決しようとする課題】
【０００５】
しかしながら、上述の帯掛と計数を行う作業手順では、帯掛機と計数機との間で製品を移動させる必要があり、作業のロスが生じるといった問題がある。
【０００６】
また、上述の一連の作業を自動化する場合、自動帯掛機と計数機を結合させたシステムを構築することになるが、高価な設備投資や広大な設置スペースが必要となる。加えて作業者の移動負担やデリバリ人員を増やすなどロスが大きくなる、結束物のサイズ等の制約などの理由により非効率となることも考えられる。
【０００７】
紙幣等の紙葉類については、これを１枚ずつ繰り出して計数し、所定枚数になると結束を行う紙幣計数結束装置があるものの、１枚ずつ繰り出すので時間がかかることや、使用できる被結束物のサイズ（紙幣に近い大きさのみ使用可能）や、帳票・冊子類には適用できないなどの制約がある。
【０００８】
本発明は、前述した問題点に鑑みてなされたもので、その目的は、帯掛機のテーブルに被結束物を載せて結束する際に被結束物を計数することで、被結束物の数量保証を効率よく行う帯掛機を提供することである。
【課題を解決するための手段】
【０００９】
前述した目的を達成するために本発明は、本体部に収納したテープロールからテープを引き出し、前記本体部の上に設置されたループ状のテープガイドに沿って、前記本体部の上面より上に設けられたテーブルに戴置された被結束物の周りにテープのループを作成し、ループを引き締めて被結束物に帯掛し、帯掛したテープの始端と終端の溶着を行う帯掛機であって、被結束物の単位重量と被結束物の重量を用いて被結束物の計数を行う重量式計数装置と、前記テーブル上に戴置された被結束物の重量を前記重量式計数装置に伝える重量伝達部材と、を含むことを特徴とする帯掛機である。
【００１０】
被結束物とは、帯掛を行う対象であって、例えば、帳票や冊子、証券、カード等の製品である。
重量式計数装置は、例えば被結束物が冊子の場合、冊子の１冊あたり重量等の単位重量を計測して記憶しておいて、何冊かの冊子の重量を計測したときに、その重量と単位重量の関係から、冊子の数を求めるものである。なお、重量の計測は、重量式計数装置の上部に設けられた秤量皿に対象物を載せておこなう。
上記の構成により、帯掛機で被結束物の結束作業を行うと共に、重量式計数装置で被結束物の計数を行うことができる。
【００１１】
また、本発明の帯掛機は、前記本体部の上面の左右両側から上方にそれぞれ延びる２つの第１のアームと、前記第１のアームの上端部同士を連結する第１の連結部材と、を含み、前記重量式計数装置は、前記第１の連結部材の上に設置され、前記重量伝達部材は、前記テーブルの左右両側から上方にそれぞれ延びる２つの第２のアームと、前記第２のアームの上端部同士を連結する第２の連結部材を含み、前記第２の連結部材は、前記重量式計数装置の秤量皿に戴置されて接することが望ましい。
【００１２】
上記の構成により、重量式計数装置の秤量皿に、テーブルに戴置した被結束物の重量を伝え、被結束物の計数を行うことができる。また、帯掛機の第１の連結部材の上に備えることによって、帯掛機と重量式計数装置を縦に近接させて配置することができ、作業性が向上すると共に省スペースとなる。
【００１３】
また、前記テープガイドは、前記本体部の上面と、２つの前記第１のアームの内側面と、前記連結部材の下面に連続して形成され、前記テーブルは、前記テープガイドに沿って作成されたテープのループを前後に挟むように配置される２つのテーブル構成部材により構成され、前記第２のアームのそれぞれは、前記２つのテーブル構成部材の対応する端部からそれぞれ上方に延びて前記テープのループを前後に挟むように配置される２つのアーム構成部材により構成されることが望ましい。
【００１４】
上記の構成により、被結束物を戴置するテーブルと、重量伝達部材の第２のアームが、帯掛機による結束作業を妨げることがない。
【００１５】
また、前記第２の連結部材は、前記第２のアームの上端部の後部において、前記第２のアームの上端部同士を連結することが望ましい。
【００１６】
上記の構成によって、第２の連結部材が後方で重量式計数装置の秤量皿に接するようにすることができ、これに伴い重量式計数装置を帯掛機の後方にずらして配置できるので、重量式計数装置として既存のものを用いる場合に、重量式計数装置によって被結束物が見づらくなることがない。
【００１７】
また、本発明の帯掛機は、前記重量式計数装置を戴置するために前記第１の連結部材の上に設けられる台部と、前記台部の後部の左右両側から下方に向かって伸び、前記本体部の上面に接する２本の脚部とを備えることが望ましい。
【００１８】
上記の構成によって、重量式計数装置として既存のものを用いる場合に、重量式計数装置を帯掛機の第１の連結部材の上に安定して配置させることができる。
【００１９】
前記重量式計数装置は、前記重量式計数装置と通信可能に接続するプリンタを備え、前記重量式計数装置による被結束物の計数結果を前記プリンタにより出力可能であることが望ましい。
【００２０】
上記の構成によって、計数結果を印刷して結束数量の確認や保証に用いることができる。
【発明の効果】
【００２１】
本発明により、帯掛機のテーブルに被結束物を載せて結束する際に被結束物を計数することで、被結束物の数量保証を効率よく行うことができる帯掛機を提供することができる。
【発明を実施するための最良の形態】
【００２２】
以下図面に基づいて、本発明の実施形態を詳細に説明する。
まず、図１と図２を参照して、本発明の帯掛機の概略構成について説明する。
図１は、本発明に係る帯掛機の実施の形態を示す斜視図である。
図２は、本発明に係る帯掛機の実施の形態を示す正面図である。
【００２３】
本発明の帯掛機１は、略直方体の本体部３と、本体部３の上面１４の両端部から上方に延びる２つの第１のアーム５、６と、第１のアーム５、６の上端部同士を連結する第１の連結部材７と、テーブル９と、重量式計数装置１１と、重量式計数装置を戴置する台部１２と、重量伝達部材１３から構成される。
【００２４】
本体部３の上面１４と、第１のアーム５、６の内側面と、第１の連結部材７の下面には、連続するように通過溝が形成され、通過溝によりループ状のテープガイドが構成される。テープガイドにそってテープ１６が送り出されることで、テープ１６のループが形成される。
【００２５】
本体部３は、略直方体の形状であり、被結束物２１を検知し自動的に結束するためのセンサ１７、受板１９等を上面に備える。
また、図示しないが、本体部３は、帯掛機１に電力を供給するための電源スイッチ、結束作業を開始するためのＳＴＡＲＴスイッチ、結束作業を自動で行うためのＡＵＴＯスイッチをさらに備え、また、本体部３の内部には、テープロールと、ローラー等により構成されるテープ送出部、テープ引締部と、テープの先端と終端同士を溶着するためのヒータ、余ったテープを切断するためのカッタ等が設置される。
【００２６】
テーブル９は、被結束物２１を戴置するための台であり、本体部３の上面１４より上に配置される。テーブル９と上面１４の間には、すきまが形成される。
なお、本体部３の上面１４には、さらに被結束物ガイド２３が備わっている。テーブル９に戴置された被結束物２１の先を被結束物ガイド２３に突き当て、被結束物２１の側端を後述する第２のアームに揃えることで、結束物の位置決めを行うことができる。
テーブル９の詳細については後述する。
【００２７】
重量式計数装置１１は、計数対象の単位重量を記憶させておいて、同種類の計数対象の重量を計測したときに、計測した重量と、予め記憶した単位重量より計測対象の数量を計数するものである。
重量式計数装置１１としては既知のものを使用可能であり、特に図示しないが、テンキー等により構成される入力部、対象の重量を計測するための重量計測部、計数に係る重量式計数装置１１の処理を制御する制御部、計数結果等を記憶する記憶部、計数結果等を表示する表示部、プリンタ等と通信可能に接続する通信部等を含む。
【００２８】
重量計測部は、重量式計数装置１１の上部の秤量台２５と、秤量台２５に置かれた対象の重量を計測する不図示の計測部を含む。計測部としては、例えば音叉振動式の重量計測を行うものや、ロードセルを用いるもの等がある。
加えて、重量式計数装置１１は、通信部を介してプリンタ（不図示）と接続し、計数結果のプリントを行う。プリントした計数結果は、結束数量の確認や保証に用いる。
【００２９】
本実施形態では、重量式計数装置１１は、第１の連結部材７の上に設けられた台部１２の上に戴置される。
台部１２には、台部１２の後方両端から下に延び、テーブル９の後方で本体部３の上面１４と接する２本の脚部２７、２８が取付けられる。脚部２７、２８と、第１の連結部材７により台部１２が支えられ、台部１２に戴置された重量式計数装置１１が安定する。
なお、重量式計数装置１１を安定して配置するために台部１２を用いたが、重量式計数装置１１を安定させるためには様々な方法が使用可能であり、例えばボルト等用いて第１の連結部材２３の上に重量式計数装置１１あるいはこれを戴置する台部１２を固定するようにしてもよい。
【００３０】
さらに、重量式計数装置１１を新たに帯掛機１の形状に合わせて作成すると、その構成や配置あるいは取り付け方法によって、台部１２が必要でない場合もある。例えば、重量式計数装置の平面形状を帯掛機１の第１の連結部材７の平面形状にあわせて一体的に構成すると、台部１２や脚部２７、２８は必要でなくなる。
【００３１】
重量伝達部材１３は、テーブル９の両端部から上方にそれぞれ延びる２つの第２のアーム２９、３０と、第２のアーム２９、３０の上端部同士を連結する第２の連結部材３１を含む。第２の連結部材３１は、重量式計数装置１１の秤量台２５に戴置されて接する。
重量伝達部材１３の詳細は後ほど説明する。
【００３２】
図３、図４、図５をさらに参照しながら、本発明に係る帯掛機１のテーブル９と重量伝達部材１３の詳細を説明する。
図３は、本発明に係る帯掛機１の、図２の線Ａ−Ａに沿った断面図である。
図４は、本発明に係る帯掛機１の、図２の線Ｂ−Ｂに沿った断面図である。
図５は、本発明に係る帯掛機１の頂面図である。
【００３３】
テーブル９は、ループを形成するテープ１６とセンサ１７を前後に挟むように配置される２つのテーブル構成部材３３と３４により構成される。
テーブル９が、テープ１６とセンサ１７とを前後に挟むように配置される２つのテーブル構成部材３３と３４により構成されるため、テーブル９がセンサ１７の機能やテープ１６による結束を妨げることがない。
【００３４】
第２のアーム２９は、２つのテーブル構成部材３３と３４のそれぞれの対応する端部から上方に延びる２つのアーム構成部材３５と３６により構成される。２つのアーム構成部材３５と３６は、ループを形成するテープ１６を前後に挟むように配置され、第１の連結部材７より上で、上端部同士が連結する。すなわち、第２のアーム２９は門字状に構成され、門字状に構成される第２のアーム２９の上端部が第２の連結部材３１と接続する。
同様に、第２のアーム３０は、２つのテーブル構成部材３３と３４のそれぞれの対応する端部から上方に延びる２つのアーム構成部材３７と３８により構成される。２つのアーム構成部材３７と３８は、ループを形成するテープ１６を前後に挟むように配置され、第１の連結部材７より上で、上端部同士が連結する。すなわち、第２のアーム３０は門字状に構成され、門字状に構成される第２のアーム３０の上端部が第２の連結部材３１と接続する。
【００３５】
ただし、アーム構成部材３５と３６、あるいは３７と３８は、その上端部同士を連結せず、それぞれが別に第２の連結部材３１と接続するようにしてもよい。
このように、第２のアーム２９、３０が、ループを形成するテープ１６を前後に挟むように配置されるアーム構成部材３５と３６、３７と３８によって構成されるため、第２のアーム２９、３０がテープ１６の結束動作を妨げることがない。
【００３６】
以上の構成により、テーブル９に戴置された被結束物２１の重量が、第２のアーム２９、３０と第２の連結部材３１により構成される重量伝達部材１３によって、重量式計数装置１１に伝達され、被結束物２１の計数が可能である。さらに、テーブル９や第２のアーム２９、３０がテープ１６の結束動作やセンサ１７の動作を妨げることがなく、被結束物の計数と帯掛が同時に可能となる。
【００３７】
本実施形態では、図５に示すように、重量式計数装置１１の秤量台２５の位置に合わせて、第２の連結部材３１は、第２のアーム２９、３０の上端部の後方において、第２のアーム２９、３０の上端部同士を連結する。
すなわち、第２の連結部材３１は、後方で第２のアーム２９、３０を連結し、秤量台２５に戴置されて接する構成となる。
【００３８】
重量式計数装置１１として既存のものを用いる場合等では、重量式計数装置１１の平面形状と第１の連結部材７の幅の関係から、重量式計数装置１１を第１の連結部材７の上に配置する場合には、重量式計数装置１１の前部が第１の連結部材７よりも前にせり出し、帯掛を行う場合に前方斜め上からテーブル９に戴置された被結束物２１が見づらく、作業性が悪くなる可能性が存在する。
【００３９】
このとき、重量式計数装置１１を後方に配置させると、被結束物２１が見易くなり、作業が行いやすくなる。ここで、テーブル９は移動させないが、重量式計数装置１１の秤量台２５が後方に移動することになるため、これに伴い、第２のアーム２９、３０の後方で第２の連結部材３１が第２のアーム２９、３０を連結するようにする。
【００４０】
ただし、この場合には、テーブル９上の被結束物２１は、テーブル９および重量伝達部材１３により構成される構造体に対する偏心荷重となり、秤量台２５にかかる力が秤量台２５の上面で不均一となり計測誤差を生じる可能性がある。
よって、第２の連結部材３１（重量式計数装置１１）を後方に移動させる距離は、重量計測に必要な精度を考慮する必要がある。
本実施形態では、計数結果への影響が小さく、十分に正しい計数を行うことができると許容される範囲で、重量式計数装置１１を後方に移動させ、第２の連結部材３１が第２のアーム２９、３０の後方で第２のアーム２９、３０を連結するようにし、作業性を良くしている。
【００４１】
また、重量式計数装置１１を新たに帯掛機１の形状に合わせて作成する場合には、その構成や配置あるいは取り付け方法によって、上記のような第２の連結部材３１の構成が必要でない場合もありうる。
例えば、重量式計数装置の平面形状を帯掛機１の第１の連結部材７の平面形状にあわせて一体的に構成すると、重量式計数装置が前方にせり出して被結束物２１を見づらくすることがないので、上記のような構成は必要なくなる。
加えて、重量伝達部材そのものも上記のような構成以外に様々な形態をとりえる。例えば、重量式計数装置を帯掛機１の下方に配置する構成とすれば、テーブルの両端から下方にアームが延び、アームの下端部同士を連結部材が連結し、この連結部材が重量式計数装置の秤量皿に接するような構成が考えられる。このアームと連結部材が重量伝達部材を構成する。
【００４２】
次に、図６を用いて、本発明の帯掛機１を用いて被結束物２１の帯掛を行う作業の流れについて説明を行う。
なお、被結束物２１の例としては、帳票や冊子、証券、カード等の製品がある。
図６は、本発明の帯掛機１による作業の流れを示すフローチャートである。
【００４３】
帯掛機１を用いて帯掛を行う場合は、まず、ステップ６０１においてテーブル９及び重量伝達部材１３と一束分を結束する長さのテープ１６の重量を計測する。これは、テーブル９に一束分を結束する長さのテープ１６のみ戴置した状態で重量を計測すればよい。
次に、ステップ６０２で、重量式計数装置１１の記憶部にステップ６０１で計測したテーブル９及び重量伝達部材１３と一束分を結束する長さのテープ１６の重量を記憶させる。記憶されたテーブル９及び重量伝達部材１３と一束分を結束する長さのテープ１６の重量は、後述する重量計測や計数等で用いられる。
ただし、一束分を結束する長さのテープ１６の重量が被結束物２１の重量測定の測定誤差範囲に入る場合には、ステップ６０１とステップ６０２において一束分を結束する長さのテープ１６の重量の計測、記憶は行わなくてもよい。
【００４４】
続いて、ステップ６０３で、重量式計数装置１１で被結束物２１の単位重量を計測する。これは、例えばテーブル９に被結束物２１の単位数を戴置し、テープ１６による結束を行った状態で重量を計測した結果より、ステップ６０２で記憶部に記憶したテーブル９及び重量伝達部材１３と一束分を結束する長さのテープ１６の重量を減じればよい。被結束物２１の単位数とは、例えば冊子なら１冊でよいが、例えば複数冊の重量を計測し、これを単位重量とすることもできる。
【００４５】
次に、ステップ６０４で、重量式計数装置１１の記憶部に被結束物２１の単位重量を記憶させる。記憶された単位重量は、後述する計数等で用いられる。
【００４６】
同種類の被結束物２１について帯掛作業を連続して行うときは、以上のステップ６０１からステップ６０４は、作業のはじめに１回行っておいて、テーブル９及び重量伝達部材１３と一束分を結束する長さのテープ１６の重量と、被結束物２１の単位重量を重量式計数装置１１の記憶部に記憶させておく。
以降の連続する結束作業においては、記憶部に記憶させたテーブル９及び重量伝達部材１３と一束分を結束する長さのテープ１６の重量と、被結束物２１の単位重量を計数に用いることができるため、ステップ６０１からステップ６０４の作業は省略できる。
【００４７】
さて、ステップ６０５において、被結束物２１を帯掛機１のテーブル９に戴置すると、ステップ６０６において、帯掛機１のセンサ１７は、テーブル９に冊子が置かれたことを検知して、テープガイド１５に沿って形成されているテープ１６のループを引き締め、引き締めた後のループの始端と終端とを受板１９と本体部２１内に設置されたヒータ（不図示）で挟み、ヒータで熱して始端と終端を溶着した後、余ったテープ１６を切断する。このようにして、被結束物に対して帯掛がなされる。
上記の例は、センサ１７によって被結束物２１が戴置されると自動的に帯掛がなされる例だが、被結束物２１を戴置した後、帯掛機１に備えられたＳＴＡＲＴボタンを押すことによって帯掛を行うようにすることもできる。前者によれば、帯掛作業をより効率的に行うことができ、後者によれば、帯掛作業をより安全に行うことができる。自動で帯掛を行うか、ＳＴＡＲＴボタンを押すことによって帯掛を行うかは、例えば帯掛機１に備えられたＡＵＴＯボタンのＯＮ／ＯＦＦによって選択することができる。
なお、帯掛を終了した後、帯掛機１は再びテープロールからテープ１６を引き出して、テープガイド１５に沿ってテープ１６を送り出し、テープ１６のループを形成する。
【００４８】
帯掛機１は、ステップ６０６で被結束物２１に帯掛するとともに、ステップ６０７において、テーブル９に戴置された被結束物２１の計数を行う。
具体的には、重量式計数装置１１の秤量台２５には、テーブル９に戴置された被結束物２１の重量と、テーブル９及び重量伝達部材１３と一束分を結束する長さのテープ１６の重量の和がかかるので、重量式計数装置１１で計測された重量から、ステップ６０２で記憶部に記憶させたテーブル９及び重量伝達部材１３と一束分を結束する長さのテープ１６の重量を減じ、減じた後の値をステップ６０４で記憶部に記憶させた被結束物２１の単位重量で割る。以上のようにして、被結束物２１を計数し、記憶部に記憶する。
なお、ステップ６０７の処理は、重量式計数装置１１の制御部が行うものである。
【００４９】
ステップ６０８において、帯掛機１の重量式計数装置１１は、ステップ６０７で計数した被結束物２１の数量を表示部に表示し、ユーザが、表示した計数結果を確認する。
【００５０】
計数結果を確認した後、ステップ６０９において、ユーザは重量式計数装置１１のプリントボタン（不図示）を押して、計数結果を重量式計数装置１１に接続するプリンタに印刷させる。
計数結果は、例えば一連の帯掛作業における帯掛開始からの帯掛回数とともに印刷するようにしておくと、何回目の帯掛で何冊まとめて結束したかがわかり、結束数量の確認に役立つ。
プリンタとは、例えばロール紙に対応する小型の卓上用プリンタである。
【００５１】
ステップ６１０において、ユーザは被結束物２１をテーブル９より取り出し、保管場所へ移す。
【００５２】
ステップ６１１において、一連の帯掛作業が終了する予定数の帯掛を全て終了していない場合は、ステップ６０５へ戻り、再び被結束物２１をテーブル９に戴置し帯掛を行う。予定数の帯掛を全て終了した場合は、帯掛作業を終了する。
なお、一連の帯掛作業の終了後、計数結果を印刷したプリント用紙を切り取り、一連の帯掛作業で帯掛し保管場所に移された被結束物２１に添えると、被結束物２１が正しい数ずつ結束されていることが一目でわかるので都合が良い。
【００５３】
以上説明したように、本発明の実施の形態によれば、帯掛機のテーブルに被結束物を載せて結束する際に、重量伝達部材が被結束物の重量を重量式計数装置に伝え、被結束物の単位重量との比較により重量式計数装置が被結束物を計数するので、被結束物の数量保証を効率よく行う帯掛機を提供することができる。
【００５４】
以上、添付図面を参照しながら、本発明に係る帯掛機の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５５】
【図１】本発明に係る帯掛機の実施の形態を示す斜視図
【図２】本発明に係る帯掛機の実施の形態を示す正面図
【図３】図２の線Ａ−Ａに沿った断面図
【図４】図２の線Ｂ−Ｂに沿った断面図
【図５】本発明に係る帯掛機の実施の形態を示す頂面図
【図６】本発明に係る帯掛機の実施の形態の動作の流れを示すフローチャート
【符号の説明】
【００５６】
１………帯掛機
３………本体部
５、６………第１のアーム
７………第１の連結部材
９………テーブル
１１………重量式計数装置
１２………台部
１３………重量伝達部材
１４………上面
１６………テープ
１７………センサ
１９………受板
２１………被結束物
２３………被結束物ガイド
２５………秤量台
２７、２８………脚部
２９、３０………第２のアーム
３１………第２の連結部材
３３、３４………テーブル構成部材
３５、３６、３７、３８………アーム構成部材
【図１】
2010126186.tif 000003
【図２】
2010126186.tif 000004
【図３】
2010126186.tif 000005
【図４】
2010126186.tif 000006
【図５】
2010126186.tif 000007
【図６】
2010126186.tif 000008